(57)【要約】【課題】耕耘機等の移動農機の外観における装飾性の向上を図りつつ、従来の一般的な耕耘機が内在していた不都合が自然に取り除かれるように構成された移動農機を提供する。【解決手段】耕耘機１に対し、エンジン１３の上方に配置された燃料タンク１４をタンクカバー２０で覆うと共に、機体１２の後部を、変速レバー１７を案内するガイド溝２１を有する変速ガイドパネル２３で覆うように備えさせる。そして、この変速ガイドパネル２３が、タンクカバー２０の外形線に揃うようにして燃料タンク１４の後方に連続する形状からなるようにする。【選択図】図１
2008007020.tif 000002
【特許請求の範囲】
【請求項１】
機体に搭載したエンジンからの動力を駆動車輪及び耕耘装置に伝達すると共に、機体からハンドルフレーム及び変速レバーを延設してなる移動農機において、
前記エンジンの上方に配置された燃料タンクをタンクカバーで覆うと共に、前記機体の後部を、前記変速レバーを案内するガイド溝を有する変速ガイドパネルで覆い、
該変速ガイドパネルは、前記タンクカバーの外形線に揃うようにして該燃料タンクの後方に連続する形状からなる、
ことを特徴とする移動農機。
【請求項２】
前記変速ガイドパネルは、前記ガイド溝を有する上面と、該上面の左右に下方に向かって滑らかに垂下する鍔部と、を備え、
前記上面は、前記ガイド溝を有する部分がその前後部分に比して幅広に構成されてなる、
請求項１記載の移動農機。
【発明の詳細な説明】
【技術分野】
【０００１】
本発明は、耕耘機等の移動農機に係り、詳しくは、走行する機体をオペレータが歩行しながら操作する移動農機に関する。
【背景技術】
【０００２】
従来の耕耘機等の移動農機、特に歩行型管理機等の移動農機においては、走行用の主変速レバーとロータリ用の耕耘変速レバーとを別々に有することから、オペレータはこれら両レバーをそれぞれ操作することによって走行変速及びロータリ変速を行っていた。
【０００３】
そこで、１本の変速レバーの左右又は上下方向の操作により、それぞれ走行変速及びロータリ変速の両操作を可能にし、上記操作を容易化させることによって移動農機の操作に不馴れな人であっても安全に作業し得るものが提案されている（特許文献１参照）。
【０００４】
上記したような移動農機にあっては、上下及び左右方向に一続きに形成された枝状の溝が設けられたガイド板を機体後部に配設させ、該溝から変速レバーを機体後方にて操作を行う操作者に向けて延設するように構成している。
【０００５】
【特許文献１】特公平８−１１５０１号公報
【発明の開示】
【発明が解決しようとする課題】
【０００６】
しかし、上記特許文献１に記載されたような耕耘機におけるガイド板は、あくまで変速レバーの操作案内板としての役割のみが説明されたものとなっており、ガイド板自体の外形等の態様については特に言及されていなかった。
【０００７】
そして、上記したようなガイド板を有する従来の一般的な耕耘機にあっては、該ガイド板が、例えば隣接し合う燃料タンク等の各部と距離をとった状態で配設されるなど、その態様が耕耘機全体の装飾性に寄与していない傾向が多く見受けられた。また、そのようなガイド板にあっては、装飾性が欠如するのみではなく、該ガイド板と周辺各部との間に生じる間隙に対し、作業者の着衣や身体の一部等の進入を許すものとなり、事故に結びつき得る虞があった。
【０００８】
そこで本発明は、耕耘機等の移動農機の外観における装飾性の向上を図りつつ、従来の一般的な耕耘機が内在していた不都合が自然に取り除かれるように構成し、もって上記課題を解決した移動農機を提供することを目的とするものである。
【課題を解決するための手段】
【０００９】
請求項１に係る本発明は（例えば図１ないし図３参照）、機体（１２）に搭載したエンジン（１３）からの動力を駆動車輪（１１）及び耕耘装置（３０）に伝達すると共に、機体（１２）からハンドルフレーム（１８）及び変速レバー（１７）を延設してなる移動農機（１）において、
前記エンジン（１３）の上方に配置された燃料タンク（１４）をタンクカバー（２０）で覆うと共に、前記機体（１２）の後部を、前記変速レバー（１７）を案内するガイド溝（２１）を有する変速ガイドパネル（２３）で覆い、
該変速ガイドパネル（２３）は、前記タンクカバー（２０）の外形線に揃うようにして該燃料タンク（１４）の後方に連続する形状からなる、
ことを特徴とする移動農機（１）にある。
【００１０】
請求項２に係る本発明は（例えば図１ないし図３参照）、前記変速ガイドパネル（２３）が、前記ガイド溝（２１）を有する上面（２３ａ）と、該上面（２３ａ）の左右に下方に向かって滑らかに垂下する鍔部（２３ｃ）と、を備え、
前記上面（２３ａ）が、前記ガイド溝（２１）を有する部分がその前後部分（２３ｂ，２３ｄ）に比して幅広に構成されてなる、
請求項１に記載の移動農機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、移動農機に対し、エンジンの上方に配置された燃料タンクをタンクカバーで覆うと共に、機体の後部を、変速レバーを案内するガイド溝を有する変速ガイドパネルで覆うようにする。そして、この変速ガイドパネルが、タンクカバーの外形線に揃うようにして燃料タンクの後方に連続する形状からなるようにする。これにより、タンクカバーから続く変速ガイドパネル下方に配設された周辺部材又は周辺装置等に対し、作業者の衣服や手指、工具等が不用意に接触する機会が減少し、事故に結びつき得る要因が確実に取り除かれるものとなる。また、変速ガイドパネルが、タンクカバーの外形線に揃うような連続した形状に構成されるので、外観的にも優れた装飾性の高い移動農機を提供することができる。
【００１３】
請求項２に係る本発明によると、変速ガイドパネルが、ガイド溝を有する上面と、該上面の左右に下方に向かって滑らかに垂下する鍔部と、を備え、上面は、ガイド溝を有する部分がその前後部分に比して幅広に構成されてなる。これにより、変速ガイドパネルの左右端の下方から機体内方に向って、作業者の衣服や手指等が進入することを防ぐことができる。また、上記鍔部により、変速ガイドパネル下方側に配設されることが一般的となる周辺装置、例えば伝動ベルトのベルトカバー等の上方側が覆われることとなり、かつこれらとの間隙が狭められることとなるので、該間隙から作業者の衣服や手指等が誤って機体内方に進入することを防ぐことができる。
【発明を実施するための最良の形態】
【００１４】
以下、図面に沿って、本発明に係る実施の形態について説明する。なお、図１は本発明に係る移動農機を適用し得る耕耘機の側面図、図２は耕耘機を斜め後方から見た斜視図、図３は耕耘機の平面図である。
【００１５】
図１ないし図３に示すように、耕耘機（移動農機）１は、走行部１０と耕耘部（耕耘装置）３０とが一体的に構成されている。走行部１０は、左右で一対の走行車輪（駆動車輪）１１に支持された機体１２上に、エンジン１３及び変速伝動部（図示せず）が配置され、該エンジン１３上には燃料タンク１４が支持されている。エンジン１３及び燃料タンク１４の側方には、エンジン１３における排気の際の減圧消音を行うマフラー（図示せず）が配設され、該マフラーはマフラーカバー２５により覆われている。
【００１６】
また、機体１２後部からは、上記変速伝動部を変速操作する変速レバー１７と、機体１２の走行方向を操作するハンドルフレーム１８とが、後方に延在するように配設されている。更に、燃料タンク１４の後方下部には、上記変速レバー１７の操作経路を案内するガイド溝２１が形成された変速ガイドパネル２３が配設され、機体１２後部側を沿うように覆うものとなっている。
【００１７】
ハンドルフレーム１８は、機体１２後部から後ろ斜め上方に向かって延びる傾斜部１８ａと、該傾斜部１８ａの途中から屈曲して圃場面Ｆ（図１参照）と略々平行な水平状態となる水平部１８ｂと、該水平部１８ｂの最後端部に形成されたハンドル１８ｃと、を有している。このハンドル１８ｃは、オペレータが片手又は両手で把持し得るように、背面視における左右幅方向に延在する長尺状に形成されている。
【００１８】
また、傾斜部１８ａから水平部１８ｂへの移行部分には、ハンドル１８ｃに対して接離可能に支持されたクラッチハンドル２９が配置されている。このクラッチハンドル２９は、ハンドル１８ｃ上部に重なる水平方向の位置（クラッチ接続状態となる位置）から、ハンドル１８ｃに対して約６０゜の角度に立ち上がる位置（クラッチ切断状態となる位置）まで、所謂がま口の口金状に回動し得る（図１の矢印Ａに示す）ように支持されている。
【００１９】
ハンドルフレーム１８の右側上部（耕耘機１の背面視にて）には、機体１２の前後方向に延在するレバー溝１９に沿って回動操作されるデフロックレバー２４が配設された操作パネル１６が取り付けられている。該操作パネル１６には、他の停止ボタン２８やスロットルレバー２７等が配設されている。
【００２０】
デフロックレバー２４は、差動装置（不図示）を作動状態又は非作動状態に切換え操作して、駆動力が伝わりにくい場所で一方の走行車輪１１が滑って走行困難になった場合等に、左右走行車輪１１，１１を直結（即ち、左右走行車輪１１，１１による差動駆動をロック）し、駆動力を圃場面Ｆ（図１参照）に良好に伝えるようにする。停止ボタン２８は、クラッチハンドル２９の接続状態又は切断状態いずれの操作状態に拘らず、押下操作されることによってエンジン１３を無条件で強制的に停止するように機能する。スロットルレバー２７は、該スロットルレバー２７に連結された不図示のワイヤによりエンジン１３の回転数が調整され、耕耘機1の走行速度が調節される。
【００２１】
一方、耕耘部３０は、機体１２に回転可能に支持された耕耘軸３１と、該耕耘軸３１に固定されて圃場を耕す耕耘爪３２と、該耕耘爪３２の上部を覆う耕耘カバー３３と、該耕耘カバー３３の後方に装着された後方カバー３４とを有している。耕耘爪３２は、耕耘軸３１の周囲に多数装着され、側面視において前後で対象な形状となっており、耕耘軸３１における正回転時又は逆回転時のいずれにも対応自在となっている。そして、耕耘軸３１及び耕耘爪３２は、変速伝動部を介して伝動されるエンジン１３の出力により回転駆動される。
【００２２】
ここで、前述した変速ガイドパネル２３及びその周辺部について更に詳細に説明する。
【００２３】
変速ガイドパネル２３は、変速レバー１７を操作案内するため、上下及び左右方向に枝別れするような一続きとなったガイド溝２１を有した操作面（上面）２３ａを有している。そして、該パネル２３は、全体として機体１２の後部側を後方に向かって徐々に下降するように傾斜しつつ覆うようなカバー部材となっている。
【００２４】
上記変速ガイドパネル２３の斜め上方で且つエンジン１３上部に位置している燃料タンク１４は、平面視にてエンジン１３の幅と同程度の大きさを有している。更にこの燃料タンク１４は、給油口を含む上部が一部露出するような状態でタンクカバー２０に覆われており、該タンクカバー２０によりその強度や装飾性等の向上が図られている。従って、タンクカバー２０は、燃料タンク１４に比してひとまわり大きく形成されていることから、耕耘機１の平面視においてエンジン１３の前後及び左右の幅方向すべてを覆い隠すものとなっている。
【００２５】
上記タンクカバー２０の後部には、燃料タンク１４の上部を覆うタンクカバー上部面２０ａを有しており、該上部面２０ａの側部からは燃料タンク１４を覆い且つエンジン１３に対して庇のようにかかるタンクカバー側部面２０ｂを有している。これらタンクカバー上部面２０ａとタンクカバー側部面２０ｂとで形成される主な角部は、面取りされることで全体として滑らかな曲面形状をなしている。
【００２６】
そして、これらの面の後端をなすタンクカバー後端部２０ｃに近接した位置（例えば１〜２ｃｍの距離）からは、変速ガイドパネル２３におけるパネル前端部（前後部分）２３ｂが、該タンクカバー後端部２０ｃの外形線に揃うように連続するように形成されている。これは、タンクカバー後端部２０ｃとパネル前端部２３ｂとが互いに略々直線状に位置することを示している。そして、それらの横幅（図３の上下方向）にあっては、変速ガイドパネル２３がタンクカバー２０の左右幅を略々維持するように形成され、そのまま機体１２の後部まで覆っている。これにより、変速ガイドパネル２３下方に配設される周辺部材又は周辺装置等（例えば変速伝動部）に対し、作業者の衣服や手指、工具等が不用意に接触するような機会が格段に減少し、事故に結びつき得る要因が確実に取り除かれるものとなる。また、上記したように、変速ガイドパネル２３がタンクカバー２０の外形線に揃うような連続した形状に構成されるので、外観的にも優れた装飾性の高い耕耘機１を提供することができるようになる。
【００２７】
ここで、図１ないし図３に示す符号２３ｄは、変速ガイドパネル２３における操作面２３ａの後端を指すパネル後端部（前後部分）であり、上記パネル前端部２３ｂと前後部分の対の関係となる。なお、前述の「近接した位置」とは、作業者の衣服や手指、工具等が両者の間に容易に入り込まない程度の距離をいう。これにより、作業者の衣服や手指、工具等が、変速ガイドパネル２３とタンクカバー２０との間に進入することが要因となる事故の発生を確実に防ぐことができるようになる。
【００２８】
一方、機体１２の側部で、且つエンジン１３の側部から変速ガイドパネル２３の端部下方に亘る位置には、側面視で楕円形状をなすベルトカバー５が配設されている。該ベルトカバー５は、エンジン１３の動力を各部に伝えるための伝動ベルト（不図示）を覆うものであり、エンジン１３近傍の側部、細かくは図３に示すようなベルトカバー５前部の側面部が平面視においてタンクカバー２０の片側端部より内側に位置するものとなっている。
【００２９】
従って、変速ガイドパネル２３全体の左右幅がタンクカバー２０の左右幅と略々同様となるように構成されていると共に、操作面２３ａ付近の幅がパネル前端部２３ｂ及びパネル後端部２３ｄの幅に比して一層広く形成されていることから、変速ガイドパネル２３は、平面視において上記ベルトカバー５をも上方で覆うものとなる。これにより、変速ガイドパネル２３の左右端部の下側から機体内方に向って、作業者の衣服や手指等が進入しにくい態様とすることができる。
【００３０】
また、変速ガイドパネル２３は、その側端部から下方側に庇のように滑らかに垂下するパネル側部（鍔部）２３ｃを有しており、その前部には排気用のスリット２２が形成されている。このパネル側部２３ｃは、その後部において、ベルトカバー５の後部に近接し、該ベルトカバー５後部の外形に沿うように形成されている。従って、パネル側部２３ｃにより、変速ガイドパネル２３の下方側に一般的に配設される周辺部材、例えばベルトカバー等における上方側が覆われ、かつこれらとの間隙が狭められることとなるので、該間隙から作業者の衣服や手指等が誤って機体内部側に進入することを防ぐことができるようになる。
【００３１】
そして、本実施の形態の耕耘機１にあっては、タンクカバー２０におけるタンクカバー後端部２０ｃと、変速ガイドパネル２３におけるパネル前端部２３ｂとが、耕耘機１の平面視及び側面視にて両者が略々連続するように形成されるものとなる。更に、変速ガイドパネル２３におけるパネル側部２３ｃと、ベルトカバー５の側面部とが、耕耘機１の平面視及び側面視にて両者が略々連続するように形成される。これらにより、走行部１０における外観が滑らかとなり、耕耘機１における全体的な形状の装飾性が向上されるものとなっている。
【００３２】
また、前述したように、タンクカバー２０から連続するように形成された変速ガイドパネル２３が、機体１２後部にかぶさるように被覆されることから、耕耘機１の上方から降りかかるような雨や泥等を効果的に避けることができるものとなる。更に、パネル側部２３ｃが、操作面２３ａの左右端から垂下するように形成されることから、一層効果的なものとしている。
【００３３】
ここで、上記構成を有する耕耘機１を用いた作業に際し、オペレータは、クラッチハンドル２９が切断状態となっている際に、不図示のリコイルフックの握り部を引くことによってエンジン１３を始動させる。そして、変速レバー１７を適宜の位置にセットした後、クラッチハンドル２９を接続状態とする。この状態から、オペレータは、ハンドル１８ｃを操った状態で変速レバー１７を適宜に操作し、耕耘爪３２を回転させつつ走行車輪１１を駆動させ、圃場を低速走行する耕耘機１を該耕耘機１の後部で保持しながら農作業を行う。
【００３４】
耕耘機１では、上記したような作業中、或いは停止中にあって、作業者や保守点検を行う者が、走行部１０近傍に近づいたり、走行部１０周辺に手指や工具等で触れたりする場合がある。本実施の形態における耕耘機１は、タンクカバー後端部２０ｃに近接した位置から、その外形線に揃うように変速ガイドパネル２３が連続して機体１２の後部を覆い、更に、幅広に形成された変速ガイドパネル２３の左右端部から垂下されたパネル側部２３ｃが備えられる。これにより、機体１２の内方に対し、作業者の衣服や手指、工具等が不用意に接触するような機会が格段に減少する。
【図面の簡単な説明】
【００３５】
【図１】本発明に係る移動農機を適用し得る耕耘機の側面図である。
【図２】耕耘機を斜め後方から見た斜視図である。
【図３】耕耘機の平面図である。
【符号の説明】
【００３６】
１      移動農機（耕耘機）
１１    駆動車輪（走行車輪）
１２    機体
１３    エンジン
１４    燃料タンク
１７    変速レバー
１８    ハンドルフレーム
２０    タンクカバー
２１    ガイド溝
２３    変速ガイドパネル
２３ａ  上面（操作面）
２３ｂ  前後部分（パネル前端部）
２３ｃ  鍔部（パネル側部）
２３ｄ  前後部分（パネル後端部）
３０    耕耘装置（耕耘部）
【図１】
2008007020.tif 000003
【図２】
2008007020.tif 000004
【図３】
2008007020.tif 000005